(57)【特許請求の範囲】
【請求項１】
照射されたレーザー光の波長を変換して光を放射する発光部を交換可能に備える照明装置であって、
基台と、
前記基台に設けられ、前記発光部を取り付ける取付部と、
前記基台に取り付けられた発光部に係り合うことでレーザー光の光路を開放し、前記基台から前記発光部が取り外されることによりレーザー光の光路を遮蔽する遮光手段を備え、
前記発光部は、前記取付部に対し当該発光部を前記基台に沿ってスライドさせることにより、前記基台に着脱するものであり、
前記遮光手段は、
光路を遮蔽する遮蔽部材と、
前記遮蔽部材を付勢する付勢部材とを備え、
前記遮光手段は、
前記発光部が前記取付部に取り付けられていない状態では、前記遮蔽部材は前記付勢部材により光路を遮蔽する遮蔽位置に配置し、
前記発光部を前記取付部に取り付ける際は、前記発光部をスライドさせることにより前記遮蔽部材を前記付勢部材の付勢力に抗して押し、前記遮蔽部材を光路を開放する開放位置に配置する
照明装置。
【請求項２】
前記遮蔽部材は、前記発光部よりもレーザー光の入射側に配置される
請求項１に記載の照明装置。
【請求項３】
前記遮蔽部材は、前記基台に対し回動可能に取り付けられる
請求項１に記載の照明装置。
【請求項４】
前記発光部は、前記取付部に対し当該発光部をレーザー光の光軸方向に移動させて、前記基台に着脱するものであり、
前記基台のレーザー光を透過させるための貫通孔に挿入される挿入部を備える
請求項３に記載の照明装置。
【請求項５】
前記基台に前記発光部を着脱する際において、前記発光部、および前記遮蔽部材の少なくとも一方により常にレーザー光の光路が遮られる
請求項１から４のいずれか１項に記載の照明装置。
【発明の詳細な説明】
【技術分野】
【０００１】
本発明は、レーザー光を光源とする照明装置に関する。
【背景技術】
【０００２】
従来、光ファイバーにより伝送されるレーザー光を励起光として発光する蛍光体を含有する発光部を備え、レーザー光を所望の光色に変換して照明する照明装置がある。この励起光として用いられるレーザー光はエネルギー密度が高いため、安全性の観点から人の目に直接入射することを回避する技術が必要となる。
【０００３】
例えば、特許文献１には、酸化シリコンや酸化チタンの微細粒子を分散配置させた光散乱材を発光部のレーザー光が照射される側と反対側に配置し、発光部に割れが生じたり、発光部が脱落などした際にレーザー光のコヒーレンスを低減する技術が記載されている。
【先行技術文献】
【特許文献】
【０００４】
【特許文献１】特開２０１１−１５４９９５号公報
【発明の概要】
【発明が解決しようとする課題】
【０００５】
以上の特許文献１に記載の技術ように発光部の脱落によりレーザー光が直接目に入射することを防止する技術は従来存在する。
【０００６】
一方、損傷した発光部を新しい発光部に取り替える場合や、異なる光色の発光部に取り替える場合など、照明装置に既に取り付けられている発光部を取り出して、新しい発光部に取り替える取替機能を備えた照明装置を新しく開発した。そしてこの開発過程で発光部の取替作業中においてもレーザー光から目を守る技術を見出すに至った。
【０００７】
つまり本発明は、レーザー光を光源とする照明装置において、発光部を取り替える際に不本意なレーザー光の漏出から目も守ることのできる照明装置の提供を目的とする。
【課題を解決するための手段】
【０００８】
本発明の一態様に係る照明装置は、照射されたレーザー光の波長を変換して光を放射する発光部を交換可能に備える照明装置であって、基台と、前記基台に設けられ、前記発光部を取り付ける取付部と、前記基台に取り付けられた発光部に係り合うことでレーザー光の光路を開放し、前記基台から前記発光部が取り外されることによりレーザー光の光路を遮蔽する遮光手段を備える。
【発明の効果】
【０００９】
本発明の一態様に係る照明装置によれば、発光部を取り外した際には必ず遮光手段がレーザー光の光路を遮るため、発光部の取替作業中におけるレーザー光の不本意な目への入射を防止することができる。
【図面の簡単な説明】
【００１０】
【図１】実施の形態に係る照明装置の外観を示す斜視図である。
【図２】実施の形態に係る発光部近傍を示す斜視図である。
【図３】実施の形態に係る照明装置の断面図である。
【図４】実施の形態に係る取付部近傍を示す斜視図である。
【図５】実施の形態に係る取付部近傍を一部断面で示す上面図である。
【図６】実施の形態に係る発光部の取替作業を段階的に説明する図である。
【図７】変形例１において発光部の取替作業を段階的に説明する図である。
【図８】変形例２において発光部の取替作業を段階的に説明する図である。
【図９】変形例３において発光部の取替作業を段階的に説明する図である。
【図１０】変形例４において発光部の取替作業を段階的に説明する図である。
【発明を実施するための形態】
【００１１】
以下では、本発明の実施の形態に係る照明装置について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
以下、実施の形態について説明する。
【００１４】
［照明装置の構成］
図１は、本実施の形態に係る照明装置の外観を示す斜視図である。
【００１５】
図２は、本実施の形態に係る発光部近傍を示す斜視図である。
【００１６】
図３は、本実施の形態に係る照明装置の断面図である。
【００１７】
これらの図に示すように、照明装置１００は、レーザー光Ｌを光源として可視光を放射する装置であって、発光部１０１と、基台１０２と、取付部１０３と、遮光手段１０４とを備える。本実施の形態の場合、照明装置１００はさらに、レンズ１０５と、筐体１０６と、光学系１０７と、ファイバー取付部１０８とを備えている。
【００１８】
発光部１０１は、図３に示すように、レーザー光Ｌが照射されることによりレーザー光Ｌとは異なる波長の光を放射することができるものである。本実施の形態の場合、発光部１０１は、基板１１１と変換部材１１２とを備えている。
【００１９】
基板１１１は、変換部材１１２を保持するための構造部材であり、レーザー光Ｌを透過させることができる透明な部材である。具体的に例えば、基板１１１は、サファイアガラスの板などである。本実施の形態の場合、基板１１１において、変換部材１１２が設けられていない部分は、レーザー光Ｌが透過しないように遮蔽膜、または、遮蔽構造などが設けられている。
【００２０】
変換部材１１２は、レーザー光Ｌによって励起されて蛍光を放射する蛍光体の粒子を分散状態で備えており、レーザー光Ｌの照射により蛍光体がレーザー光Ｌとは異なる波長の蛍光を放射する。
【００２１】
具体的に、変換部材１１２は、透明な樹脂やガラスからなる基材の内部に蛍光体の粒子が分散されているもの、または、蛍光体の粒子を固めたもの等を例示できる。つまり、変換部材１１２は、レーザー光を蛍光に変換する波長変換物質を備えている。
【００２２】
本実施の形態の場合、変換部材１１２は、照明用の光として白色光を放射するものであり、レーザー光Ｌの照射によって異なる色を発光する複数種類の蛍光体を波長変換物質として備えている。
【００２３】
なお、波長変換物質の種類や特性は特に限定されるものではないが、比較的高い出力のレーザー光Ｌが励起光となるため、熱耐性が高いものが望ましい。
【００２４】
また、波長変換物質を分散状態で保持する基材の種類は特に限定されるものではないが、透明性が高ければ、白色光の放射効率も高くなるため好ましく、また、比較的高い出力のレーザー光Ｌが入射するため、耐熱性の高いものが好ましい。
【００２５】
また、変換部材１１２には、レーザー光Ｌを蛍光体に効率よく照射するための機能膜、発光した可視光を効率よく放射するための機能膜などを備えていてもかまわない。
【００２６】
基台１０２は、発光部１０１を所定の位置に保持する基礎的な構造部材である。本実施の形態の場合、基台１０２は、円板状の部材であり中心にはレーザー光Ｌを透過させるための貫通孔１２１が設けられている。また、基台１０２の外周部は筐体１０６の内周面に固定されている。
【００２７】
図４は、取付部近傍を示す斜視図である。
【００２８】
図５は、取付部近傍を示す上面図である。
【００２９】
これらの図に示すように、取付部１０３は、基台１０２に設けられ、発光部１０１を基台１０２に対して着脱自在に取り付けることができる構造部材である。本実施の形態の場合、取付部１０３は、基台１０２と共に発光部１０１の基板１１１を挟み込む溝を形成するように、発光部１０１の基板１１１の幅に対応する距離で対向して設けられ、発光部１０１のスライド方向（図中Ｚ軸方向）に延在し、延在方向に垂直な断面がＬ字形状となっている。
【００３０】
遮光手段１０４は、基台１０２に取り付けられた発光部１０１によりレーザー光Ｌの光路を開放し、基台１０２から発光部１０１が取り外されることによりレーザー光Ｌの光路を遮蔽する機構である。
【００３１】
本実施の形態の場合、遮光手段１０４は、レーザー光Ｌの光路を遮蔽する遮蔽部材１４１と、遮蔽部材１４１を付勢する付勢部材１４２とを備えている。
【００３２】
本実施の形態の場合、遮蔽部材１４１は、レーザー光Ｌを透過させない材質からなる板状の部材であり、平面視（図中ＹＺ平面）において発光部１０１の基板１１１と同じ形状となっている。また、遮蔽部材１４１は、発光部１０１と同様に基台１０２に対しスライド可能に取付部１０３に取り付けられている。
【００３３】
付勢部材１４２は、遮蔽部材１４１をスライド方向（図中Ｚ軸方向）に付勢する部材である。付勢部材１４２は、特に限定されるものではないが、バネやゴムを例示することができる。本実施の形態の場合、付勢部材１４２として、つるまきばねが採用されている。
【００３４】
図１、図３に示すように、レンズ１０５は、発光部１０１に対しレーザー光Ｌが照射される側（本実施の形態では光学系１０７が配置される側）とは反対側に配置され、発光部１０１から放射される光の配光を制御する配光制御構造を有する部材である。本実施の形態の場合、レンズ１０５は、筐体１０６に取り付けられている。
【００３５】
レンズ１０５を構成する材料は、発光部１０１から放射される光が透過するものであれば特に制限されるものではないが、配光制御構造を容易に成形できるものが好ましい。レンズ１０５を構成する材料としては例えば、アクリル、または、ポリカーボネート等の樹脂材料、または、ガラス材料などを例示することができる。
【００３６】
筐体１０６は、図１、図３に示すように、発光部１０１、および、光学系１０７を収容し、一方の端部にレンズ１０５が取り付けられ、他方の端部にファイバー取付部１０８が取り付けられる箱状の構造部材である。
【００３７】
本実施の形態の場合、筐体１０６は、円筒状の部材であり、レーザー光Ｌの光路を覆うものとなっている。筐体１０６の内周面には、レーザー光Ｌを吸収する部材、または、構造が設けられている（図示省略）。
【００３８】
ここで、レーザー光を吸収する部材とは、例えばレーザー光が青色であった場合、青色を吸収する色素を備えた部材である。また、レーザー光を吸収する構造とは、細かな凹凸が内周面に設けられることによりレーザー光を乱反射させて消滅させる構造などである。これにより、レーザー光Ｌの光軸が不本意にずれた場合でも、照明装置１００の安全性を高い状態で維持することが可能となる。
【００３９】
光学系１０７は、入射したレーザー光Ｌを発光部１０１において集光するように設定されたレンズ群などである。
【００４０】
なお、照明装置１００の使用目的により光学系１０７の種類は、適宜選択されるものであり、照明装置１００が光学系１０７を備えない場合もある。
【００４１】
ファイバー取付部１０８は、照明装置１００とは別体の光源装置から発せられたレーザー光を伝送する光ファイバー２００を所定の光軸となるように筐体１０６に取り付ける部材である。ファイバー取付部１０８により、レーザー光Ｌの光軸が発光部１０１の変換部材１１２を通過するように光ファイバー２００を取り付けることが可能となる。
【００４２】
［発光部の取替作業］
次に、発光部１０１の取替作業を説明する。
【００４３】
図６は、発光部の取替作業を段階的に説明する図である。
【００４４】
同図に示す（ａ）の段のように、レーザー光Ｌの光路を形成する貫通孔１２１を覆うように発光部１０１が取付部１０３に取り付けられた状態では、遮蔽部材１４１は光路（貫通孔１２１）を開放する開放位置に配置される。本実施の形態の場合、発光部１０１の基板１１１と遮蔽部材１４１は同形状であり、遮蔽部材１４１は基板１１１に隣接した状態でスライド可能に配置されている。また、遮蔽部材１４１は、付勢部材１４２により貫通孔１２１に向かって付勢された状態となっている。
【００４５】
次に、同図に示す（ｂ）の段のように、発光部１０１を取り替えるために発光部１０１をスライド移動させた場合、遮蔽部材１４１は、付勢部材１４２に押されて発光部１０１と共にスライドする。その結果、発光部１０１をスライドさせている間、レーザー光Ｌの光路である貫通孔１２１は、発光部１０１、または、遮蔽部材１４１で遮蔽された状態となり、レーザー光Ｌが外部に漏れ出すことはない。
【００４６】
次に、同図に示す（ｃ）の段のように、取付部１０３から発光部１０１が取り出された状態では、付勢部材１４２が遮蔽部材１４１をさらに押し出し、遮蔽部材１４１が貫通孔１２１を覆って遮蔽する遮蔽位置に配置される。
【００４７】
以上により、発光部１０１が取付部１０３から取り出される工程において、レーザー光Ｌの光路が開放されることはなく、安全に発光部１０１を取り外すことができる。
【００４８】
一方、発光部１０１を取付部１０３に新たに取り付ける際は、上記と逆の（ｃ）（ｂ）（ａ）の順に発光部１０１をスライドさせていけば、発光部１０１は、レーザー光Ｌが照射される位置に配置され、発光部１０１に押される遮蔽部材１４１は、付勢部材１４２を縮めながら所定の位置までスライド移動する。このように発光部１０１を取り付ける場合においても、基板１１１、または、遮蔽部材１４１により、レーザー光Ｌの光路である貫通孔１２１は、常に遮られた状態となる。
【００４９】
以上説明したように、本実施の形態の構成であれば、レーザー光Ｌの光路である貫通孔１２１を開放することなく発光部１０１を取り替えることができるため、取替作業中に不本意にレーザー光Ｌが目に入射してしまうことを防止し、安全に発光部１０１を取り替えることが可能となる。
【００５０】
（変形例１）
続いて、照明装置１００における遮光手段１０４の変形例について説明する。なお、前記実施の形態と同様の作用や機能、同様の形状や機構や構造を有するもの（部分）には同じ符号を付して説明を省略する場合がある。
【００５１】
図７は、変形例１において発光部の取替作業を段階的に説明する図である。なお、図７に示す（Ｆ）の段は、発光部１０１近傍を示す平面図であり、図７に示す（ａ）（ｂ）（ｃ）の段は、側方から示す断面図である。
【００５２】
同図に示すように、遮光手段１０４は、遮蔽部材１４１と付勢部材１４２とを備えており、遮光手段１０４には、基台１０２に設けられた貫通孔１２１と同径の透過孔１４３が設けられている。また、遮蔽部材１４１は、発光部１０１よりもレーザー光の入射側（図中Ｘ軸方向負側）に配置されており、基台１０２によりスライド可能に保持されている。また、遮蔽部材１４１は、遮蔽部材１４１の中間部分から基台１０２の表面より上にまで突出するレバー１４０を備えている。付勢部材１４２は、遮蔽部材１４１を引っ張る方向に付勢している。
【００５３】
［発光部の取替作業］
次に、発光部１０１の取替作業を説明する。
【００５４】
図７に示す（ａ）の段のように、レーザー光Ｌの光路を形成する貫通孔１２１を覆うように発光部１０１が取付部１０３に取り付けられた状態では、発光部１０１は、遮光手段１０４のレバー１４０と係合し、遮蔽部材１４１の透過孔１４３と基台１０２の貫通孔１２１とが一致した状態で保持されている。従って遮蔽部材１４１は、レーザー光Ｌの光路（貫通孔１２１）を開放状態としている。
【００５５】
次に、図７に示す（ｂ）の段のように、発光部１０１を取り替えるために発光部１０１をスライドさせて移動させた場合、遮蔽部材１４１は、付勢部材１４２に引っ張られて発光部１０１と共にスライドする。その結果、発光部１０１をスライドさせている間、レーザー光Ｌの光路である貫通孔１２１は、遮蔽部材１４１で遮蔽された状態となり、レーザー光Ｌが外部に漏れ出すことはない。
【００５６】
次に、図７に示す（ｃ）の段のように、基台１０２に発光部１０１が取り付けられていない状態では、付勢部材１４２が遮蔽部材１４１を引っ張り、遮蔽部材１４１が貫通孔１２１を覆って遮蔽する。
【００５７】
以上により、発光部１０１が取付部１０３から取り出される工程において、レーザー光Ｌの光路が開放されることはなく、安全に発光部１０１を取り外すことができる。また、本変形例１の場合、発光部１０１の変換部材１１２が取り付けられていない基板１１１の部分は、遮蔽部材１４１に覆われているため、基板１１１の当該部分がレーザー光Ｌに対し透明であってもレーザー光Ｌが外部に放射されることはなく、安全性を確保することが可能となる。
【００５８】
一方、発光部１０１を取付部１０３に取り付ける際は、上記と逆の（ｃ）（ｂ）（ａ）の順に発光部１０１をスライドさせていけば、発光部１０１を基台１０２に取り付けることができる。発光部１０１が取り付けられた状態では、遮蔽部材１４１の透過孔１４３は、レーザー光Ｌの光路である貫通孔１２１に配置され、発光部１０１の変換部材１１２にレーザー光Ｌが照射されるようになる。
【００５９】
以上により、発光部１０１の取替作業中にレーザー光Ｌの光路である貫通孔１２１が開放されることはなく、安全に発光部１０１を取り替えることが可能となる。
【００６０】
（変形例２）
続いて、照明装置１００における遮光手段１０４の他の変形例について説明する。なお、前記実施の形態や変形例１と同様の作用や機能、同様の形状や機構や構造を有するもの（部分）には同じ符号を付して説明を省略する場合がある。
【００６１】
図８は、変形例２において発光部の取替作業を段階的に説明する図である。なお、図８に示す（Ｆ）の段は、発光部１０１近傍を示す平面図であり、図８に示す（ａ）（ｂ）の段は、側方から示す断面図である。
【００６２】
同図に示すように、遮光手段１０４は、遮蔽部材１４１と、付勢部材１４２と、係合部１４９とを備えている。付また、遮光手段１０４は、基台１０２に設けられた貫通孔１２１と同径の透過孔１４３が設けられており、遮蔽部材１４１は、ヒンジ１４４で基台１０２に回動可能に取り付けられている。勢部材１４２は、遮蔽部材１４１を引っ張る方向に付勢している。
【００６３】
［発光部の取替作業］
次に、発光部１０１の取替作業を説明する。
【００６４】
図８に示す（ａ）の段のように、レーザー光Ｌの光路を形成する貫通孔１２１を覆うように発光部１０１が取付部１０３に取り付けられた状態では、発光部１０１と遮光手段１０４の係合部１４９とが係合し、基台１０２の表面と平行になるまで遮蔽部材１４１が回動する。以上により、基台１０２の貫通と透過孔１４３とが一致しレーザー光Ｌの光路が開放した状態となる。
【００６５】
次に、図８に示す（ｂ）の段のように、基台１０２の取付部１０３に発光部１０１が取り外された状態では、遮蔽部材１４１は、付勢部材１４２に引っ張られて基台１０２に対して回動し、貫通孔１２１を覆う遮蔽位置に配置される。
【００６６】
以上により、発光部１０１が取付部１０３から取り出される工程において、レーザー光Ｌの光路が開放されることはなく、安全に発光部１０１を取り外すことができる。一方、発光部１０１を上記と逆の（ｂ）（ａ）の順に取付部１０３に取り付ける際においても、貫通孔１２１が開放されることはなく、安全に発光部１０１を取り付けることが可能となる。
【００６７】
（変形例３）
続いて、照明装置１００における遮光手段１０４の他の変形例について説明する。なお、前記実施の形態や変形例１、２と同様の作用や機能、同様の形状や機構や構造を有するもの（部分）には同じ符号を付して説明を省略する場合がある。
【００６８】
図９は、変形例３において発光部の取替作業を段階的に説明する図である。なお、図９に示す（Ｆ）の段は、発光部１０１近傍を示す平面図であり、図９に示す（ａ）（ｂ）の段は、側方から示す断面図である。
【００６９】
同図に示すように、遮光手段１０４は、遮蔽部材１４１と、付勢部材（図示せず）と、係合部１４９とを備えている。また、遮蔽部材１４１は、ヒンジ１４４で基台１０２に回動可能に取り付けられている。付勢部材は、ぜんまいバネであり、遮蔽部材１４１が基台１０２の表面と平行となるように付勢している。
【００７０】
［発光部の取替作業］
次に、発光部１０１の取替作業を説明する。
【００７１】
図９に示す（ａ）の段のように、レーザー光Ｌの光路を形成する貫通孔１２１を覆うように発光部１０１が取付部１０３に取り付けられた状態では、発光部１０１と遮光手段１０４の係合部１４９とが係合し、貫通孔１２１が開放状態になるまで遮蔽部材１４１が回動し垂下状態となる。以上により、レーザー光Ｌの光路が開放された状態となる。
【００７２】
次に、図９に示す（ｂ）の段のように、基台１０２の取付部１０３に発光部１０１が取り付けられていない状態では、遮蔽部材１４１は、付勢部材によって回動し、貫通孔１２１を覆う遮蔽位置に配置される。
【００７３】
以上により、発光部１０１が取付部１０３から取り出される工程において、レーザー光Ｌの光路が開放されることはなく、安全に発光部１０１を取り外すことができる。一方、発光部１０１を上記と逆の（ｂ）（ａ）の順に取付部１０３に取り付ける際においても、貫通孔１２１が開放されることはなく、安全に発光部１０１を取り付けることが可能となる。
【００７４】
なお、本変形例の場合、発光部１０１の取替作業においては、発光部１０１は、基台１０２の表面に対してスライドさせるのではなく、貫通孔１２１の軸に沿って発光部１０１を移動させることにより行われる。
【００７５】
（変形例４）
続いて、照明装置１００における遮光手段１０４の他の変形例について説明する。なお、前記実施の形態や変形例１、２、３と同様の作用や機能、同様の形状や機構や構造を有するもの（部分）には同じ符号を付して説明を省略する場合がある。
【００７６】
図１０は、変形例４において発光部の取替作業を段階的に説明する図である。なお、図１０に示す（Ｆ）の段は、発光部１０１近傍を示す平面図であり、図１０に示す（ａ）（ｂ）の段は、側方から示す断面図である。
【００７７】
同図に示すように、発光部１０１は、基板１１１と変換部材１１２のほか、基板１１１に対し変換部材１１２の反対側に設けられた挿入部１１３を備えている。
【００７８】
挿入部１１３は、基台１０２に設けられている貫通孔１２１に隙間無く挿入できる外径を有する円筒状の部分であり、内部空間はレーザー光Ｌが通過できるものとなっている。また、挿入部１１３は、貫通孔１２１に挿入された状態で、遮光手段１０４の遮蔽部材１４１を押し、遮蔽部材１４１を回動させる程度の長さを備えている。
【００７９】
基台１０２の貫通孔１２１は、挿入された挿入部１１３を保持し基台１０２に発光部１０１を取り付ける取付部としても機能している。
【００８０】
遮光手段１０４は、遮蔽部材１４１と、付勢部材（図示せず）と、係合部１４９とを備えている。また、遮蔽部材１４１は、ヒンジ１４４で基台１０２に回動可能に取り付けられている。付勢部材は、ぜんまいバネであり、遮蔽部材１４１が基台１０２の表面と平行となるように付勢している。
【００８１】
［発光部の取替作業］
次に、発光部１０１の取替作業を説明する。
【００８２】
図９に示す（ａ）の段のように、発光部１０１は、レーザー光Ｌの光軸方向（図中Ｘ軸方向）に移動させて、取付部として機能している貫通孔１２１に対し挿入部１１３を挿入することで基台１０２に取り付けられる。
【００８３】
発光部１０１が貫通孔１２１に取り付けられた状態では、遮蔽部材１４１は、挿入部１１３に押圧されて回動し、レーザー光Ｌの光路である貫通孔１２１を開放する開放位置に配置される。
【００８４】
次に、図９に示す（ｂ）の段のように、基台１０２の貫通孔１２１に発光部１０１が取り付けられていない状態では、遮蔽部材１４１は、付勢手段により貫通孔１２１を遮蔽する遮蔽位置に配置される。
【００８５】
以上により、発光部１０１が基台１０２から取り外される工程において、レーザー光Ｌの光路が開放されることはなく、安全に発光部１０１を取り外すことができる。一方、発光部１０１の挿入部１１３を上記と逆の（ｂ）（ａ）の順に貫通孔１２１に挿入する際においても、貫通孔１２１が開放されることはなく、安全に発光部１０１を取り付けることが可能となる。
【００８６】
また、本変形例４の場合、遮蔽部材１４１が貫通孔１２１の比較的深い部分に配置されているため、人の指が触れることがなく、不本意に遮蔽部材１４１が回動させられることがない。また、挿入部１１３の先端が貫通孔１２１に挿入され発光部１０１が貫通孔１２１を覆った後に遮蔽部材１４１が回動するため、発光部１０１を取り付ける際に確実にレーザー光Ｌの光路を遮蔽し、遮蔽部材１４１が貫通孔１２１を遮蔽した後に発光部１０１が取り外されるため、発光部１０１を取り外す際にも確実に光路を遮蔽することが可能となる。
【００８７】
以上、本発明に係る照明装置１００について、上記実施の形態に基づいて説明したが、本発明は、上記の実施の形態に限定されるものではない。
【００８８】
上記実施の形態では、照明装置１００の外部から光ファイバー２００によりレーザー光を伝送して照明装置１００内に導入していたが、この態様に限定されるものではない。例えば、照明装置１００は、筐体１０６の端部にレーザー光を放射することのできる半導体レーザー素子を備えていてもかまわない。
【００８９】
また、レンズ１０５の形状は、上記実施の形態に限定されるわけではなく、所望する配光に基づき任意に設定することができる。
【００９０】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９１】
１００  照明装置
１０１  発光部
１０２  基台
１０３  取付部
１０４  遮光手段
１４１  遮蔽部材
１４２  付勢部材
【図１】
0006671030.tif 000002
【図２】
0006671030.tif 000003
【図３】
0006671030.tif 000004
【図４】
0006671030.tif 000005
【図５】
0006671030.tif 000006
【図６】
0006671030.tif 000007
【図７】
0006671030.tif 000008
【図８】
0006671030.tif 000009
【図９】
0006671030.tif 000010
【図１０】
0006671030.tif 000011